(57)【要約】      （修正有）【課題】簡単な構成で電子部品の放熱効率を向上させる。【解決手段】吸気口及び排気口を有する筐体７１と、前記筐体内に配設される電子部品と前記吸気口との間に設けられて、液体の気化熱により前記吸気口から前記筐体内に流入した空気を冷却する冷却ユニット７４とを具備したことを特徴とする。このような構成によれば、吸気口から筐体内に流入した空気は排気口から排気され、筐体内に空気の流れが生じる。筐体内の空気の流れによって、電子部品が放熱される。電子部品と吸気口との間には冷却ユニットが設けられており、冷却ユニットは、液体の気化熱により吸気口から筐体内に流入した空気を冷却する。これにより、電子部品の近傍には、冷却された空気が流れることになり、電子部品の冷却効果が向上する。【選択図】図１
2009058568.tif 000002
【特許請求の範囲】
【請求項１】
吸気口及び排気口を有する筐体と、
前記筐体内に配設される電子部品と前記吸気口との間に設けられて、液体の気化熱により前記吸気口から前記筐体内に流入した空気を冷却する冷却ユニットと
を具備したことを特徴とする電子機器の冷却装置。
【請求項２】
前記排気口と前記電子部品との間に設けられるファンを具備したことを特徴とする請求項１に記載の電子機器の冷却装置。
【請求項３】
前記冷却ユニットは、液体が浸透した気化フィルタを有することを特徴とする請求項１又は２に記載の電子機器の冷却装置。
【請求項４】
前記冷却ユニットは、液体に超音波振動を与えて発生したミストの気化熱により前記空気を冷却することを特徴とする請求項１又は２のいずれか一方に記載の電子機器の冷却装置。
【請求項５】
請求項１乃至４のいずれか１項に記載の電子機器の冷却装置を備えたことを特徴とする電子機器。
【請求項６】
吸気口及び排気口を有する筐体と、
前記筐体内に配設された光源と、
前記筐体内に配設され、前記光源からの光を複数の色光に分離する色分離フィルタと、
前記筐体内に配設され、前記複数の色光が夫々入射される複数のライトバルブと、
前記複数のライトバルブのうちの青色光用のライトバルブと前記吸気口との間に設けられて、液体の気化熱により前記吸気口から前記筐体内に流入した空気を冷却する冷却ユニットと
を具備したことを特徴とする電子機器。
【発明の詳細な説明】
【技術分野】
【０００１】
本発明は、液晶プロジェクタ等に好適な電子機器の冷却装置及び電子機器に関する。
【背景技術】
【０００２】
液晶パネルは、ガラス基板、石英基板等の２枚の基板間に液晶を封入して構成される。このような液晶パネルでは、一方の基板に、例えば薄膜トランジスタ（Thin Film Transistor、以下、ＴＦＴと称す）をマトリクス状に配置し、他方の基板に対向電極を配置して、両基板間に封止した液晶層の光学特性を画像信号に変換させることで、画像表示を可能にする。
【０００３】
ＴＦＴを配置したＴＦＴ基板と、ＴＦＴ基板に対向配置される対向基板とは、別々に製造される。両基板は、パネル組立工程において高精度に貼り合わされた後、液晶が封入される。
【０００４】
パネル組立工程においては、先ず、各基板工程において夫々製造されたＴＦＴ基板と対向基板との対向面、即ち、対向基板及びＴＦＴ基板の液晶層と接する面上に配向膜が形成され、次いでラビング処理が行われる。次に、一方の基板上の端辺に接着剤となるシール部が形成される。ＴＦＴ基板と対向基板とをシール部を用いて貼り合わせ、アライメントを施しながら圧着硬化させる。シール部の一部には切り欠きが設けられており、この切り欠きを介して液晶を封入する。
【特許文献１】特開２００５−３２６６６０号公報
【発明の開示】
【発明が解決しようとする課題】
【０００５】
この種の液晶パネルとしては、プロジェクタ等の液晶ライトバルブとして用いられるものがある。プロジェクタにおいては、液晶パネルの画面上の画像をスクリーンに拡大投射する。従って、プロジェクタに採用された液晶パネルは、照射される光によって温度が上昇する。この温度上昇による液晶パネルの特性の劣化や信頼性の低下を防止するために、液晶パネルがある一定温度を超えないよう、冷却する必要がある。
【０００６】
そこで、液晶プロジェクタでは、液晶パネルモジュールにファン等で冷却風を当てる構成が一般に採用されている。この種の液晶プロジェクタは、高輝度化するにつれて液晶パネルに入射する光量が増加して温度上昇が大きくなるため、液晶パネルを冷却する冷却風の風量を増加させる必要がある。冷却風の風量を増加させるためにファンを大型化させると、プロジェクタも大型化してしまう。また、液晶プロジェクタを小型化させようとすると、ファンのサイズも小さくしなければならず、液晶パネルを冷却する冷却風の風量を増加させるためにはファンを高速で回転させる必要があり、ファンによる騒音が増大する。
【０００７】
更に、特許文献１においては、液冷式の液晶パネルも開示されている。しかしながら、液晶パネルの近傍に冷却液が設けられることになり、冷却液の液晶パネルへの滲入を防止するために、装置が複雑化するという欠点があった。
【０００８】
本発明は、簡単な構成で電子部品の放熱効率を向上させることができる電子機器の冷却装置及び電子機器を提供することを目的とする。
【課題を解決するための手段】
【０００９】
本発明に係る電子機器の冷却装置は、吸気口及び排気口を有する筐体と、前記筐体内に配設される電子部品と前記吸気口との間に設けられて、液体の気化熱により前記吸気口から前記筐体内に流入した空気を冷却する冷却ユニットとを具備したことを特徴とする。
【００１０】
このような構成によれば、吸気口から筐体内に流入した空気は排気口から排気され、筐体内に空気の流れが生じる。筐体内の空気の流れによって、電子部品が放熱される。電子部品と吸気口との間には冷却ユニットが設けられており、冷却ユニットは、液体の気化熱により吸気口から筐体内に流入した空気を冷却する。これにより、電子部品の近傍には、冷却された空気が流れることになり、電子部品の冷却効果が向上する。
【００１１】
また、前記排気口と前記電子部品との間に設けられるファンを具備したことを特徴とする。
【００１２】
このような構成によれば、吸気口から排気口に向けて強制的に空気の流れが生じ、吸気口と排気口との間にある電子部品の近傍に強い空気の流れが生じて、電子部品の冷却効果が向上する。
【００１３】
また、前記冷却ユニットは、液体が浸透した気化フィルタを有することを特徴とする。
【００１４】
このような構成によれば、気化フィルタに浸透した液体の気化熱により、筐体内に流入した空気を冷却することができる。
【００１５】
また、前記冷却ユニットは、液体に超音波振動を与えて発生したミストの気化熱により前記空気を冷却することを特徴とする。
【００１６】
このような構成によれば、液体に超音波振動を与えることでミストが発生し、このミストの気化熱により、筐体内に流入した空気を冷却することができる。
【００１７】
また、本発明に係る電子機器は、上記電子機器の冷却装置を備えたことを特徴とする。
【００１８】
このような構成によれば、電子部品の冷却効果が高いので、電子部品を安定して駆動することができ、高性能の機器が得られる。
【００１９】
また、本発明に係る電子機器は、吸気口及び排気口を有する筐体と、前記筐体内に配設された光源と、前記筐体内に配設され、前記光源からの光を複数の色光に分離する色分離フィルタと、前記筐体内に配設され、前記複数の色光が夫々入射される複数のライトバルブと、前記複数のライトバルブのうちの青色光用のライトバルブと前記吸気口との間に設けられて、液体の気化熱により前記吸気口から前記筐体内に流入した空気を冷却する冷却ユニットとを具備したことを特徴とする。
【００２０】
このような構成によれば、筐体内に配設された光源からの光は、色分離フィルタにより分離されて、各ライトバルブに入射する。ライトバルブからの出射光を合成することでカラー画像の表示が可能である。ライトバルブと吸気口との間には冷却ユニットが設けられており、冷却ユニットは、液体の気化熱により吸気口から筐体内に流入した空気を冷却する。これにより、ライトバルブの近傍には、冷却された空気が流れることになり、ライトバルブの冷却効果が向上する。これにより、安定した画像表示が可能である。
【発明を実施するための最良の形態】
【００２１】
以下、図面を参照して本発明の実施の形態について詳細に説明する。
【００２２】
（第１の実施の形態）
図１は本発明の第１の実施の形態に係る電子機器であるプロジェクタを示す説明図である。図２及び図３は図１中の冷却ユニットを説明するための説明図である。
【００２３】
本実施の形態は、プロジェクタに適用した例を示しており、主にライトバルブとして採用される液晶パネルを冷却対象の電子部品とするものである。図１の例は３板式のプロジェクタを示している。
【００２４】
図１において、筐体７１内にはプロジェクタの光学系が配設されている。光源１１は、メタルハライドランプ、高圧水銀ランプ等であり、ランプからの光をリフレクタ１２によって前方に反射させる構成である。光源１１からの出射光路上には、図示しないフライアイレンズ、偏光変換素子が配設されており、これらのフライアイレンズ及び偏光変換素子によって、光源１１からの光を後述する液晶パネル入射面内において均一な輝度で、且つ偏光板の透過軸方向の偏光成分として照射することができるようになっている。
【００２５】
光源１１の出射光の光路上には、ダイクロイックミラー１３及び反射ミラー１４が光軸に約４５度傾斜して配設されている。ダイクロイックミラー１３は、青色光及び緑色光を反射させ、赤色光を透過させる。
【００２６】
反射ミラー１４はダイクロイックミラー１３を介して入射した赤色光を反射させるようになっている。反射ミラー１４からの反射光の光路上には、赤色用の液晶装置１５Ｒが配設されている。液晶装置１５Ｒは、図示しない２枚の偏光板の間に液晶パネルが配設されて構成されている。液晶パネルは、例えば、ＴＦＴ基板と対向基板との間に液晶を封入して構成される。
【００２７】
液晶パネルの画素領域においては、複数本の走査線と複数本のデータ線とが交差するように配線され、走査線とデータ線とで区画された領域に画素電極がマトリクス状に配置される。そして、走査線とデータ線の各交差部分に対応してＴＦＴが設けられ、このＴＦＴに画素電極が接続される。ＴＦＴは走査線のＯＮ信号によってオンとなり、これにより、データ線に供給された画像信号が画素電極に供給される。この画素電極と対向基板に設けられた対向電極との間の電圧が液晶に印加されるのである。
【００２８】
液晶パネルの入射面と出射面に対向させて２枚の偏光板を設けることで、液晶パネルはデータ線に供給される画像信号に応じて光の透過率が変化する。これにより、液晶パネルは、入射光を映像光に変換して出射することができる。なお、後述する緑色用の液晶装置１５Ｇ及び青色用の液晶装置１５Ｂの構成も液晶装置１５Ｒと同様である。
【００２９】
反射ミラー１４からの赤色光は液晶装置１５Ｒを構成する偏光板を介して液晶パネルの表示面に集光するようになっている。こうして、液晶装置１５Ｒの出射面からは、赤色の映像光がクロスプリズム１６に出射される。
【００３０】
ダイクロイックミラー１３の反射光の光路上には、光軸に約４５度傾斜してダイクロイックミラー１７、コンデンサレンズ１８及び反射ミラー１９が配設されている。ダイクロイックミラー１７は、ダイクロイックミラー１３から反射した青色光及び緑色光のうち緑色光を反射させ、青色光を透過させる。
【００３１】
ダイクロイックミラー１７の反射光の光路上には緑色用の液晶装置１５Ｇが配設されている。ダイクロイックミラー１７からの緑色反射光は、液晶装置１５Ｇの偏光板を介して液晶パネルの表示面に集光するようになっている。こうして、液晶装置１５Ｇの出射面からは緑色の映像光がクロスプリズム１６に出射される。
【００３２】
反射ミラー１９は、ダイクロイックミラー１７を透過した青色光を反射させる。反射ミラー１９からの反射光の光路上には、コンデンサレンズ２１及び光軸に約４５度傾斜した反射ミラー２２が配設されている。反射ミラー２２は、入射した青色光を反射する。反射ミラー２２の光路上にはコンデンサレンズ２３、青色用の液晶装置１５Ｂが配設されおり、反射ミラー２２からの青色反射光はコンデンサレンズ２３に入射される。コンデンサレンズ２３は入射した青色光束を液晶装置１５Ｂの偏光板を介して液晶パネルの表示面に集光する。こうして、液晶装置１５Ｂの出射面からは青色の映像光がクロスプリズム１６に出射される。
【００３３】
なお、青色光がコンデンサレンズ２３に到達するまでの光路長は他の２色が液晶装置１５Ｒ，１５Ｇに到達するまでの光路長に比べて長い。そこで、コンデンサレンズ１８、反射ミラー１９、コンデンサレンズ２１及び反射ミラー２２によるリレーレンズ光学系２０によって、液晶装置１５Ｂの液晶パネルに入射する青色光束の照明分布を他の２色が液晶装置１５Ｒ，１５Ｇの液晶パネルに入射する光束の照明分布と略等しくするようになっている。
【００３４】
液晶装置１５Ｒ，１５Ｇ，１５Ｂからの出射映像光の光路上にはクロスプリズム１６が配設されている。クロスプリズム１６には、液晶装置１５Ｒ，１５Ｇ，１５Ｂから夫々赤映像光、緑映像光及び青映像光が入射される。クロスプリズム１６は、４つの直角プリズムが貼り合わされて構成され、その内面に赤光を反射する誘電体多層膜と青光を反射する誘電体多層膜とが十字状に形成されている。クロスプリズム１６は、これらの誘電体多層膜によって、３つの赤映像光、緑映像光及び青映像光を合成して、カラー画像の画像光を出射する。
【００３５】
クロスプリズム１６の出射光の光路上には投射レンズ２５が配置されており、投射レンズ２５は入射した合成画像光をスクリーン２６上に拡大投射するようになっている。
【００３６】
本実施の形態においては、筐体７１の側面の２カ所には、吸気口７２及び排気口７３が設けられている。図１の例では、吸気口７２及び排気口７３は、筐体７１内の液晶装置１５Ｒ，１５Ｇ，１５Ｂが配設された位置を挟んだ筐体７１の両側面に設けられている。
【００３７】
吸気口７２は筐体７１外部の空気を筐体７１内に取り入れるためのものであり、排気口７３は筐体７１内部の空気を筐体７１外部に排気するためのものである。図１においては矢印によって、空気の流れを示している。吸気口７２近傍における筐体７１の外部の空気は、矢印７６に示すように、吸気口７２を介して筐体７１内部に取り込まれる。排気口７３近傍における筐体７１内部の空気は、矢印７７に示すように、排気口７３を介して筐体７１外部に排気される。
【００３８】
排気口７３近傍には、冷却ファン７５が配設されており、冷却ファン７５は回転することによって、筐体７１内部から筐体７１外部に向かう空気の流れを強制的に発生させることができるようになっている。これにより、吸気口７２を介して筐体７１外部から筐体７１内部に向かって強い空気の流れが生じる。
【００３９】
吸気口７２及び排気口７３を介した空気の流れに応じて、筐体７１内部に空気の流れが生じ、液晶装置１５Ｒ，１５Ｇ，１５Ｂ近傍を空気が流れる。この空気の流れによって、これらの液晶装置１５Ｒ，１５Ｇ，１５Ｂに発生した熱が放熱されるようになっている。
【００４０】
本実施の形態においては、吸気口７２と液晶装置１５Ｒ，１５Ｇ，１５Ｂとの間で、吸気口７２近傍には冷却ユニット７４が配設されている。冷却ユニット７４は、筐体７１外部から流入した空気を冷却して、筐体７１内部に冷却した空気を流すようになっている。
【００４１】
図２は冷却ユニット７４の内部を側面側から見て示すものであり、図３は冷却ユニット７４を斜視的に示すものである。図２及び図３において、冷却ユニット筐体８１は両側面に開口部が設けられており、一方の開口部８６は吸気口７２の開口に対向している。これにより、吸気口７２の開口から流入した筐体７１外部からの空気（矢印８７）は、冷却ユニット筐体８１の一方の側面に形成された開口部８６から筐体８１内部を通過して他方の側面に形成された開口部から筐体７１内部に流出（矢印８８）するようになっている。
【００４２】
筐体８１の下部には水受け室８２が設けられており、水受け室８２内には水受け８３が配設されている。この水受け８３には、液供給タンク８４が取り付けられており、液供給タンク８４内の冷却水が水受け８３に供給され、水受け８３は所定量の冷却水で充填されるようになっている。
【００４３】
筐体８１の内部には気化フィルタ８５が配設されている。気化フィルタ８５は表面積が大きくなるような材料及び形状によって構成されており、気化フィルタ８５の下端は水受け８３に水没している。水受け８３の冷却水は、毛管現象によって、気化フィルタ８５に浸透する。気化フィルタ８５に浸透した冷却水は、筐体８１内部を通過する空気によって気化される。即ち、気化フィルタ８５は筐体８１内部を通過する空気から気化熱を奪うことで、筐体８１内部を通過する空気を冷却するようになっている。こうして、冷却ユニット７４に流入する空気は筐体８１内において冷却され、冷却された空気が冷却ユニット７４から筐体７１内に流れる。
【００４４】
次に、このように構成された実施の形態の作用について説明する。
【００４５】
光源１１からの光束は、ダイクロイックミラー１３，１７によって、赤色光、緑色光及び青色光に分光される。ダイクロイックミラー１３からの赤色光は反射ミラー１４によって反射され、赤色用の液晶装置１５Ｒに入射される。ダイクロイックミラー１７からの緑色反射光は、緑色用の液晶装置１５Ｇに入射される。ダイクロイックミラー１７からの青色透過光は、コンデンサレンズ１８、反射ミラー１９、コンデンサレンズ２１、反射ミラー２２及びコンデンサレンズ２３を介して青色用の液晶装置１５Ｂに入射される。
【００４６】
液晶装置１５Ｒ，１５Ｇ，１５Ｂは入力された画像信号によって入射されたＲ，Ｇ，Ｂ光を変調する。こうして、液晶装置１５Ｒ，１５Ｇ，１５Ｂからは、Ｒ，Ｇ，Ｂ映像光が出射され、クロスプリズム１６によって合成されてスクリーン２６上に拡大投射される。
【００４７】
一方、電源投入時には、ファン７５が回転し、筐体７１外部から吸気口７２、冷却ユニット７４、筐体７１内部、ファン７５及び排気口７３を通過して筐体７１外部に流れる空気の流れが生じる。この空気の流れによって、液晶装置１５Ｒ，１５Ｇ，１５Ｂが放熱する。
【００４８】
筐体７１外部から吸気口７２を介して流入した空気は、冷却ユニット７４の気化フィルタ８５によって、気化熱が奪われて冷却される。冷却ユニット７４によって冷却された空気が、筐体７１内部を流れるので、液晶装置１５Ｒ，１５Ｇ，１５Ｂの放熱は一層促進される。これにより、液晶装置１５Ｒ，１５Ｇ，１５Ｂが高熱になることが防止される。
【００４９】
特に、液晶装置１５Ｒ，１５Ｇ，１５Ｂのうち冷却ユニット７４の近傍に液晶装置１５Ｂを配置している。即ち、液晶装置１５Ｒ，１５Ｇ，１５Ｂのうち液晶装置１５Ｂ近傍を通過する空気が最も冷たい空気となり、液晶装置１５Ｂが他の液晶装置よりも高い冷却効果が得られる。青色の波長の特性から、液晶装置１５Ｂが他の液晶装置よりも高熱になりやすいので、このような配置により、液晶装置１５Ｒ，１５Ｇ，１５Ｂを一層効果的に冷却することができる。
【００５０】
なお、気化フィルタ８５は下端が水受け８３に浸漬されており、水受け８３は液供給タンク８４からの冷却水が補充されるようになっているので、気化フィルタ８５は常に冷却水が浸透した状態であり、十分な冷却効果を発揮することができる。
【００５１】
このように本実施の形態においては、筐体に設けた吸気口及び排気口を介して筐体内部に配置した電子部品である液晶装置の近傍に十分な強さの空気の流れを生じさせると共に、吸気口から電子部品までの空気の経路途中において、空気から気化熱を奪う液冷式の冷却ユニットを設けており、電子部品近傍に冷却した空気を流すことで、電子部品に対して十分な放熱効果を得ることができる。これにより、電子部品である液晶装置の劣化を抑制することができる。また、Ｒ，Ｇ，Ｂ光のうちＢ光のエネルギーが一番大きいことを考慮して、青色光用の液晶装置近傍に冷却ユニットを設けており、十分な冷却効果を得ることが可能である。
【００５２】
（第２の実施の形態）
図４は本発明の第２の実施の形態に係る電子機器の冷却装置に採用される冷却ユニットを示す説明図である。本実施の形態の冷却ユニットは、第１の実施の形態の冷却ユニット７４に代えて、図１のプロジェクタに用いることができる。
【００５３】
図４において、冷却ユニット筐体９１は両側面に開口部が設けられており、一方の開口部９６は図１の吸気口７２の開口に対向している。これにより、吸気口７２の開口から流入した筐体７１外部からの空気（矢印９７）は、冷却ユニット筐体９１の一方の側面に形成された開口部９６から筐体９１内部を通過して他方の側面に形成された開口部から筐体７１内部に流出（矢印９８）するようになっている。
【００５４】
筐体９１には、ミスト発生部９２が設けられている。ミスト発生部９２は、図示しない水槽及び超音波振動子を有しており、水槽に蓄えられた液体に超音波振動子の超音波振動を印加することで、水槽の開口部からミストを発生することができるようになっている。ミスト発生部９２には吐出管９３が取り付けられており、吐出管９３には複数の吐出口９４が設けられている。水槽から発生したミストは吐出管９３に供給され、吐出口９４から噴霧されるようになっている。
【００５５】
吐出口９４から噴霧されたミスト９５は、筐体９１内部を通過する空気によって気化される。即ち、本実施の形態においても、筐体９１内部を通過する空気から気化熱を奪うことで、筐体９１内部を通過する空気を冷却するようになっている。こうして、冷却ユニット筐体９１に流入した空気は筐体９１内において冷却され、冷却された空気が筐体９１から筐体７１内に流れる。
【００５６】
このように構成された実施の形態においても、筐体７１外部から吸気口７２を介して流入した空気は、冷却ユニット筐体９１内において、ミスト９５により気化熱が奪われて冷却される。冷却ユニット筐体９１内で冷却された空気が、筐体７１内部を流れるので、液晶装置１５Ｒ，１５Ｇ，１５Ｂの放熱は一層促進される。これにより、液晶装置１５Ｒ，１５Ｇ，１５Ｂが高熱になることが防止される。
【００５７】
他の作用及び効果は第１の実施の形態と同様である。
【００５８】
（変形例）
図５は第２の実施の形態の変形例を示す説明図である。図５において図３と同一の構成要素には同一符号を付して説明を省略する。
【００５９】
筐体１１には、ミスト発生部１００が設けられている。ミスト発生部１００は、水槽８２及び超音波振動子１０１を有しており、水槽８２に蓄えられた液体に超音波振動子１０１の超音波振動を印加することで、超音波振動子１０１の上部からミスト１０２を発生することができるようになっている。
【００６０】
ミスト発生部１００から発生したミスト１０２は、冷却ユニット筐体８１内に噴霧されるようになっている。
【００６１】
他の構成及び作用効果は第２の実施の形態と同様である。
【産業上の利用可能性】
【００６２】
本発明の電子機器は、上述の図示例にのみ限定されるものではなく、本発明の要旨を逸脱しない範囲内において種々変更を加え得ることは勿論である。例えば、上述した液晶パネルは、ＴＦＴ（薄膜トランジスタ）等のアクティブ素子（能動素子）を用いたアクティブマトリクス方式の液晶表示モジュールを例に挙げて説明したが、これに限らず、ＴＦＤ（薄膜ダイオード）等のアクティブ素子（能動素子）を用いたアクティブマトリクス方式の液晶表示モジュールであっても構わない。
【００６３】
さらに、本実施の形態においては、電子機器としてプロジェクタの例を示し、ライトバルブとして液晶パネルを用いた例を説明したが、本発明はこれに限定されず、エレクトロルミネッセンス装置、特に、有機エレクトロルミネッセンス装置、無機エレクトロルミネッセンス装置等や、プラズマディスプレイ装置、ＦＥＤ（Ｆｉｅｌｄ Ｅｍｉｓｓｉｏｎ Ｄｉｓｐｌａｙ）装置、ＳＥＤ(Ｓｕｒｆａｃｅ−Ｃｏｎｄｕｃｔｉｏｎ  Ｅｌｅｃｔｒｏｎ−Ｅｍｉｔｔｅｒ Ｄｉｓｐｌａｙ)装置、ＬＥＤ（発光ダイオード）表示装置、電気泳動表示装置、薄型のブラウン管または液晶シャッター等を用いた小型テレビを用いた装置などの各種の電子機器に適用できる。
【００６４】
また、電子機器に採用される電気光学装置としては、半導体基板に素子を形成する表示用デバイス、例えばＬＣＯＳ（Liquid Crystal On Silicon）等であっても構わない。ＬＣＯＳでは、素子基板として単結晶シリコン基板を用い、画素や周辺回路に用いるスイッチング素子としてトランジスタを単結晶シリコン基板に形成する。また、画素には、反射型の画素電極を用い、画素電極の下層に画素の各素子を形成する。また、電気光学装置は、片側の基板の同一層に、一対の電極が形成される表示用デバイス、例えばＩＰＳ（In-Plane Switching）や、片側の基板において、絶縁膜を介して一対の電極が形成される表示用デバイスＦＦＳ（Fringe Field Switching）等であっても構わない。
【図面の簡単な説明】
【００６５】
【図１】本発明の第１の実施の形態に係る電子機器であるプロジェクタを示す説明図。
【図２】図１中の冷却ユニットを説明するための説明図。
【図３】図１中の冷却ユニットを説明するための説明図。
【図４】本発明の第２の実施の形態に係る電子機器の冷却装置に採用される冷却ユニットを示す説明図。
【図５】第２の実施の形態の変形例を示す説明図。
【符号の説明】
【００６６】
１１…光源、１５Ｒ，１５Ｇ，１５Ｂ…液晶装置、７２…吸気口、７３…排気口、７４…冷却ユニット、７５…ファン。
【図１】
2009058568.tif 000003
【図２】
2009058568.tif 000004
【図３】
2009058568.tif 000005
【図４】
2009058568.tif 000006
【図５】
2009058568.tif 000007